(57)【要約】【課題】画像を印刷する場合において最適な包装紙を印刷する印刷装置を提供する。【解決手段】印刷処理する画像データを特定し、印刷される画像の枚数を決定し、画像を印刷する記録媒体のサイズを決定する。印刷物の枚数とサイズとで定められた印刷物を包装する包装紙の展開図を示す図面データを保持しておき、決定された枚数とサイズに合うように、保持された図面データを編集する。決定された枚数とサイズとに従って画像データを印刷処理して画像を印刷し、編集された図面データを印刷処理して、包装紙の展開図を印刷する。【選択図】図３
2012040850.tif 000002
【特許請求の範囲】
【請求項１】
画像データを印刷処理する印刷装置であって、
印刷される画像の枚数を決定する第１の決定手段と、
前記画像を印刷する記録媒体のサイズを決定する第２の決定手段と、
前記第１の決定手段により決定された前記枚数と、前記第２の決定手段により決定された前記サイズとに従って、前記画像データを印刷処理して前記画像を印刷する第１の印刷手段と、
印刷物の枚数とサイズとで定められた、前記印刷物を包装する包装紙の展開図を示す図面データを保持する保持手段と、
前記第１の決定手段により決定された前記枚数と、前記第２の決定手段により決定された前記サイズに従って、前記第１の印刷手段により印刷された画像の印刷物を前記包装紙で包装するために前記保持手段により保持された前記図面データを編集する編集手段と、
前記編集手段により編集された前記図面データを印刷処理して、前記包装紙の展開図を印刷する第２の印刷手段と
を備えることを特徴とする印刷装置。
【請求項２】
前記第２の印刷手段により印刷される前記包装紙の展開図は、包装の際の折れ曲がりを示す線と、包装の説明とが印刷されていることを特徴とする請求項１に記載の印刷装置。
【請求項３】
前記包装の際の折れ曲がりを示す線の印刷濃度は、前記包装の説明の印刷濃度よりも濃いことを特徴とする請求項２に記載の印刷装置。
【請求項４】
画像を読み取って前記画像データを取得する取得手段をさらに備えることを特徴とする請求項１乃至３のいずれか１項に記載の印刷装置。
【請求項５】
前記取得手段は、複数の画像を同時に読み取って前記画像データを取得し、
前記第１の決定手段は、前記複数の画像の枚数を前記印刷される画像の枚数として決定し、
前記第２の決定手段は、前記複数の画像のうち、最大のサイズを有する画像のサイズを前記記録媒体のサイズとして決定することを特徴とする請求項４に記載の印刷装置。
【請求項６】
前記印刷物を包装する包装紙の展開図は、印刷物の枚数から求められる厚さと、サイズとで定められることを特徴とする請求項１乃至５のいずれか１項に記載の印刷装置。
【請求項７】
画像データを印刷処理する印刷装置において実行される印刷方法であって、
前記印刷装置の第１の決定手段が、印刷される画像の枚数を決定する第１の決定工程と、
前記印刷装置の第２の決定手段が、前記画像を印刷する記録媒体のサイズを決定する第２の決定工程と、
前記印刷装置の第１の印刷手段が、前記第１の決定工程において決定された前記枚数と、前記第２の決定工程において決定された前記サイズとに従って、前記画像データを印刷処理して前記画像を印刷する第１の印刷工程と、
前記印刷装置の保持手段が、印刷物の枚数とサイズとで定められた、前記印刷物を包装する包装紙の展開図を示す図面データを保持する保持工程と、
前記印刷装置の編集手段が、前記第１の決定工程において決定された前記枚数と、前記第２の決定工程において決定された前記サイズに従って、前記第１の印刷工程において印刷された画像の印刷物を前記包装紙で包装するために前記保持工程において保持された前記図面データを編集する編集工程と、
前記印刷装置の第２の印刷手段が、前記編集工程において編集された前記図面データを印刷処理して、前記包装紙の展開図を印刷する第２の印刷工程と
を備えることを特徴とする印刷方法。
【請求項８】
印刷される画像の枚数を決定する第１の決定手段と、
前記画像を印刷する記録媒体のサイズを決定する第２の決定手段と、
前記第１の決定手段により決定された前記枚数と、前記第２の決定手段により決定された前記サイズとに従って、画像データを印刷処理して前記画像を印刷する第１の印刷手段と、
印刷物の枚数とサイズとで定められた、前記印刷物を包装する包装紙の展開図を示す図面データを保持する保持手段と、
前記第１の決定手段により決定された前記枚数と、前記第２の決定手段により決定された前記サイズに従って、前記第１の印刷手段により印刷された画像の印刷物を前記包装紙で包装するために前記保持手段により保持された前記図面データを編集する編集手段と、
前記編集手段により編集された前記図面データを印刷処理して、前記包装紙の展開図を印刷する第２の印刷手段と
してコンピュータを機能させるためのプログラム。
【発明の詳細な説明】
【技術分野】
【０００１】
本発明は、画像データを印刷処理する印刷装置、印刷方法、および、プログラムに関する。
【背景技術】
【０００２】
近年、プリンタや複合機等の印刷装置の高画質化とともに、写真印刷の需要が増えてきている。例えば、家庭において、撮影した写真をその印刷装置によって印刷し、その印刷物を友人等に配布する場合がある。その場合に、印刷物の枚数が多く、また、配布先が多数となる場合には、配布先ごとに小分けして束ねたり、封筒や袋に入れることが多い。しかしながら、従来、印刷装置では写真印刷を行うだけであるので、封筒や袋などを別途用意する必要があった。
【０００３】
特許文献１には、封筒の展開図とともに、展開図ごとに予め定められた位置に宛名情報などの文字情報を合成して印刷する方法について記載されている。また、特許文献２には、入力された本文情報を展開図の裏面に印刷したり、別の媒体に印刷する方法が記載されている。
【先行技術文献】
【特許文献】
【０００４】
【特許文献１】特開平０６−２８６２５８号公報
【特許文献２】特開２００４−３３４３３３号公報
【発明の概要】
【発明が解決しようとする課題】
【０００５】
しかしながら、特許文献１および２については、所定の大きさの封筒を印刷するものである。写真印刷して配布先ごとに纏めて印刷すると、配布先ごとに枚数が異なる。その結果、包装する写真等の画像の厚さが相当に変化する。従って、所定の大きさの封筒では、纏められない場合も生じてしまう。また、全て一律の大きさの封筒に収納しようとして、厚さに見合った分の大きいサイズの封筒を用意すると、結果として嵩張ってしまうという問題がある。
【０００６】
本発明の目的は、このような従来の問題点を解決することにある。本発明は、上記の点を鑑み、画像を印刷する場合において最適な包装紙を印刷する印刷装置、印刷方法、及び、プログラムを提供することを目的とする。
【課題を解決するための手段】
【０００７】
上記課題を解決するため、本発明に係る印刷装置は、画像データを印刷処理する印刷装置であって、
印刷される画像の枚数を決定する第１の決定手段と、
前記画像を印刷する記録媒体のサイズを決定する第２の決定手段と、
前記第１の決定手段により決定された前記枚数と、前記第２の決定手段により決定された前記サイズとに従って、前記画像データを印刷処理して前記画像を印刷する第１の印刷手段と、
印刷物の枚数とサイズとで定められた、前記印刷物を包装する包装紙の展開図を示す図面データを保持する保持手段と、
前記第１の決定手段により決定された前記枚数と、前記第２の決定手段により決定された前記サイズに従って、前記第１の印刷手段により印刷された画像の印刷物を前記包装紙で包装するために前記保持手段により保持された前記図面データを編集する編集手段と、
前記編集手段により編集された前記図面データを印刷処理して、前記包装紙の展開図を印刷する第２の印刷手段と
を備えることを特徴とする。
【発明の効果】
【０００８】
本発明によれば、画像を印刷する場合において最適な包装紙を印刷することができる。
【図面の簡単な説明】
【０００９】
【図１】第１の実施例における印刷装置の構成を示すブロック図である。
【図２】印刷装置における印刷記録機構の構成を示す図である。
【図３】第１の実施例における印刷処理の手順を示すフローチャートである。
【図４】包装紙の展開図およびユーザによる設定値を説明するための図である。
【図５】印刷した写真印刷物を包装紙により包装した状態を示す図である。
【図６】第２の実施例における印刷処理の手順を示すフローチャートである。
【図７】包装紙と写真印刷物がトレイに排出されて積載された様子を示す図である。
【図８】第３の実施例における包装紙の一例を示す図である。
【図９】第４の実施例における包装紙の一例を示す図である。
【図１０】本実施例における包装紙の他の例を示す図である。
【図１１】第５の実施例において原稿台に置かれた複数の写真原稿を示す図である。
【図１２】本実施例における印刷処理の手順を示すフローチャートである。
【発明を実施するための形態】
【００１０】
以下、添付図面を参照して本発明の好適な実施例を詳しく説明する。尚、以下の実施例は特許請求の範囲に係る本発明を限定するものでなく、また本実施例で説明されている特徴の組み合わせの全てが本発明の解決手段に必須のものとは限らない。
【００１１】
＜第１の実施例＞
図１は、本発明に係る第１の実施例における印刷装置１の構成を示すブロック図である。ＣＰＵ２は、内部バス３を介して接続されたプログラムメモリ４に格納された制御プログラムおよびデータメモリ５に格納されたデータを読み込んで動作する。プログラムメモリ４は、例えばＲＯＭであり、データメモリ５は、例えばＲＡＭである。ＣＰＵ２は、読取制御部６を介して読取機構７を動作させて、読取機構７内に設けられている不図示のイメージセンサにより読み取った原稿画像データをデータメモリ５の読取バッファメモリ８に格納する。読取バッファメモリ８に格納された原稿画像データは、データ変換部９により読み出されて印刷記録データに変換され、データメモリ５の印刷バッファメモリ１０に格納される。ＣＰＵ２は、記録制御部１１を介して印刷記録機構１２を動作させるとともに、印刷バッファメモリ１０に格納された印刷記録データを読み出して印刷記録機構１２に送って記録媒体への印刷記録動作を行い、コピー動作を実現する。なお、印刷記録機構１２は、通常の記録媒体への印刷記録の他、ＣＤやＤＶＤなどのディスク媒体のラベルへの印刷も可能である。
【００１２】
印刷装置１は、コピー動作以外も可能である。データメモリ５は画像メモリ１３も含み、読取機構７により読み取った原稿画像データの他、各種の画像データを一時的に記憶したり編集することができる。画像メモリ１３に格納された画像データは、データ変換部９により読み出されて印刷記録データに変換されて印刷記録動作を行うことにより、写真画像やその他の印刷を行うことができる。なお、ＣＰＵ２は、データメモリ５上の読取バッファメモリ８、印刷バッファメモリ１０、画像メモリ１３のそれぞれの容量配分を変更することができる。例えば、ＣＰＵ２は、動作モードやユーザ設定などの動作状況に応じて、各メモリの容量配分を動的に変更して割り付けることができる。
【００１３】
印刷装置１には、ＬＥＤやＬＣＤなどの表示部１４および各種キーが設けられた操作部１５を含む操作パネル１６が設けられている。その操作パネル１６により、ユーザが各種入力操作や動作状況の表示などを行う。
【００１４】
メモリカード制御部１７は、データ記憶媒体であるメモリカード１８へのアクセスを制御し、メモリカード１８への画像データの書込みやメモリカード１８からの画像データの読出しを行う。これにより、メモリカード１８に格納されている写真画像データを読み出して画像メモリ１３に格納し、印刷記録データに変換して印刷記録することができる。
【００１５】
インタフェース制御部１９は、インタフェース２０の通信制御を行い、外部に接続された外部装置２１とデータの送受信を行う。例えばＰＣである外部装置２１上で動作するプリンタドライバにより生成された印刷記録データを受信して印刷記録する。また、デジタルカメラ等の外部装置２１から写真画像データを読み出して画像メモリ１３に格納し、印刷記録データに変換して印刷記録する。
【００１６】
図２は、本実施例における印刷装置１の印刷記録機構１２の構成を示す図である。印刷装置１には、背面給紙トレイ２２と前面給紙トレイ２３が設けられており、それぞれに印刷用紙２４、２５を積載する。背面給紙トレイ２２に積載する印刷用紙２４と前面給紙トレイ２３に積載する印刷用紙２５は、異なる種類やサイズの印刷用紙であってもよい。背面給紙トレイ２２に積載された印刷用紙２４は、背面ピックアップローラ２６でピックアップされ、記録ヘッド２７の前後に設けられた２組の搬送ローラ２８、２９に送られる。  搬送ローラ２８、２９で担持された印刷用紙２４は、矢印Ａ方向の用紙送り動作と矢印Ｂ、Ｃ方向に往復する記録ヘッド２７による走査が繰り返されて印刷を行う。印刷が終了した印刷用紙２４は、そのまま矢印Ａ方向へ送られ、排紙トレイ３０に排出される。また、裏面にも印刷する場合に、印刷が終了した印刷用紙２４は、排紙トレイ３０に排出される前に搬送ローラ２８、２９を逆転し、矢印Ａとは逆方向に送ることで反転ローラ３２に送られる。反転ローラ３２に送られた印刷用紙２４は、そのまま反転ローラ３２により再度搬送ローラ２８、２９に送られて、印刷用紙２４の裏面に印刷される。
【００１７】
前面給紙トレイ２３に積載された印刷用紙２５は、前面ピックアップローラ３３でピックアップされ、反転ローラ３２を介して搬送ローラ２８、２９に送られる。搬送ローラ２８、２９で担持された印刷用紙２５は、背面給紙の場合と同様に、矢印Ａ方向の用紙送り動作と記録ヘッド２７による走査が繰り返されて印刷を行う。印刷が終了した印刷用紙２５は、そのまま矢印Ａ方向に送って排紙トレイ３０に排出される。また、搬送ローラ２８、２９を逆転して反転ローラ３２に送ることで裏面印刷を行うこともできる。
【００１８】
図３は、本実施例における印刷処理の手順を示すフローチャートである。図３に示す処理は、例えば、ＣＰＵ２により実行される。Ｓ１０１において、メモリカード１８の画像データを表示部１４に表示する。ユーザは、操作部１５を介してメモリカード１８に格納されている複数の画像データから印刷する写真画像を選択する（第１の決定の一例）。Ｓ１０２において、ユーザは、操作部１５を介して写真画像を印刷する用紙サイズを選択する（第２の決定の一例）。さらに、Ｓ１０３において、ユーザは、操作部１５を介して写真画像を印刷する用紙種類を選択する。
【００１９】
Ｓ１０１〜Ｓ１０３においてユーザからの選択を受け付けると、ＣＰＵ２は、Ｓ１０４において、Ｓ１０１で選択された写真画像をＳ１０３及びＳ１０４で選択されたサイズ及び種類の印刷用紙に順次、印刷する（第１の印刷の一例）。写真画像の印刷が終了すると、ＣＰＵ２は、Ｓ１０５において、Ｓ１０１〜Ｓ１０３で設定された印刷条件に応じて、包装紙の展開図を印刷する（第２の印刷の一例）。包装紙の展開図を示す図面データは、デフォルトとして例えばデータメモリ５に予め保持されている。そのデフォルトとしての展開図の一例を、図４（ａ）に示す。また、図４（ｃ）に、Ｓ１０１、Ｓ１０２において受け付けたユーザからの設定に関する値についての説明図を示す。Ｓ１０１において受け付けた写真画像とは、例えば、複数のサムネイル画像であって、図４（ｃ）にはＮ枚のサムネイル画像が示されている。Ｓ１０２において受け付けた用紙サイズとは、図４（ｃ）における縦サイズＸ及び横サイズＹである。図４（ｃ）に示す厚さＤとは、受け付けた写真画像の枚数により算出することができる（例えば、普通紙で定めれている厚さと枚数とを乗じる）。図４（ａ）に示されたデフォルトの包装紙の展開図におけるＸ、Ｙ、ＤにＳ１０１、Ｓ１０２において受け付けた値を入力し、印刷する包装紙の展開図を決定する。
【００２０】
図４（ａ）には、包装する際に山折りになる線３６は破線で印刷され、谷折りになる線３７は一点鎖線で印刷されている。また、包装紙３４の裏面には、Ｓ１０１でユーザにより選択された写真画像のサムネイル画像３８が印刷されている。サムネイル画像３８は、包装紙３４で写真印刷物３５を包装した際に表になる面に配置されている。
【００２１】
図５は、Ｓ１０４において印刷した写真印刷物３５を包装紙３４により包装した状態を示す。図５に示すように、印刷した写真印刷物３５を一纏めにして包むことができる包装紙３４を得ることができ、かつ、表面にサムネイル画像３８が印刷されているので、ユーザは一見して包装の中身を識別することができる。
【００２２】
本実施例においては、ユーザにより設定されたサムネイル画像の枚数に応じて、厚さＤの値が求められている。ここで、枚数Ｎが多量になり、包装紙３４では包装できなくなる場合もあり得る。そのような場合には、予め厚さＤの閾値を決定しておき、ユーザから受け付けた値と比較し、閾値以上である場合には、操作パネル１６に包装不可である旨の警告画面を表示するようにしても良い。また、一般的に多く用いられる普通紙以外で、厚みを持った特殊な用紙も存在する。そのような用紙を記録媒体として用いる場合には、枚数のみでは正確な厚さを推定できない。従って、データメモリ５に予め、様々な記録媒体の種類の厚さを格納するようにしておいても良い。そして、ユーザにより操作パネル１６を介して指定された枚数と記録媒体の種類とにより厚さＤを推定するようにしても良い。
【００２３】
本実施例においては、デフォルトとして図４（ａ）に示す展開図は、１種類だけであったが、デフォルトの展開図を予め複数種類、格納しておくようにしても良い。例えば、デフォルトの展開図としてパターンＡ〜Ｃを予め用意しておく。ユーザより受け付けたサムネイル画像の枚数が１〜５枚であるならばパターンＡを用い、６枚〜１０枚であるならばパターンＢを用い、１１〜１５枚であるならばパターンＣを用いるというようにしても良い。さらに、１６枚以上である場合に、操作パネル１６に包装不可である旨の警告画面を表示するようにしても良い。
【００２４】
＜第２の実施例＞
図６は、第２の実施例における印刷処理の手順を示すフローチャートである。図６に示す処理は、例えば、ＣＰＵ２により実行される。Ｓ２０１〜Ｓ２０３において、第１の実施例と同様に、印刷する写真画像の選択および写真画像を印刷する印刷用紙のサイズ、種類についてのユーザによる選択を受け付ける。次に、Ｓ２０４〜Ｓ２０８において、包装紙３４の印刷を行う。
【００２５】
Ｓ２０４において、前面給紙トレイ２３から包装紙３４を印刷するための印刷用紙２５を給紙する。次に、Ｓ２０５において、Ｓ２０１で選択された写真画像のサムネイル画像３８を包装紙３４の裏面に印刷する。次に、Ｓ２０６において、包装紙３４の裏面を印刷し終わった印刷用紙２５を反転ローラ３２により反転させる。Ｓ２０７において、包装紙３４の表面を印刷して、Ｓ２０８において、排紙トレイ３０上に排出する。
【００２６】
続いて、Ｓ２０９〜Ｓ２１２において、写真画像の印刷を行う。Ｓ２０９において、背面給紙トレイ２２から写真画像を印刷するための印刷用紙２４を給紙する。次に、Ｓ２１０において、Ｓ２０１で選択された写真画像を順次印刷し、Ｓ２１１において、排紙トレイ３０上に排出する。Ｓ２０９〜Ｓ２１１を、Ｓ２０１で選択された全ての画像について印刷したか否かをＳ２１２において判定する。全ての画像について印刷し終わっていなければ、Ｓ２０９からの処理を繰り返す。全ての画像について印刷し終わっていれば、写真画像の印刷を終了する。
【００２７】
通常、写真印刷物３５は、Ｌ判などの一般的な写真サイズの用紙サイズを使用し、用紙種類も写真印刷用の厚手の光沢系の媒体を使用することが多い。一方、包装紙３４は写真印刷物３５を包装するものとして、より大きいサイズ、例えばＡ４サイズなどの印刷用紙を使用することが多い。また、包装紙３４として使用する際に、普通紙などの薄手の媒体を使用することが多い。
【００２８】
このように、包装紙３４を印刷するための印刷用紙２５と写真画像を印刷するための印刷用紙２４は用紙サイズ、種類共に異なるものを使用することが考えられる。本実施例において説明したように、包装紙３４を印刷するための印刷用紙２５と写真画像を印刷するための印刷用紙２４を連続して印刷するので、ユーザが用紙の交換の操作を行う必要がない。
【００２９】
図７は、本実施例において、包装紙３４および写真印刷物３５が排紙トレイ３０に排出されて積載された様子を示す図である。図７に示すように、排紙トレイ３０上には、まず包装紙３４の内側になる面が上向きに排出され、その上に写真印刷物３５が重ねて積載されている。包装紙３４は、印刷の単位を判別するための区切りとしての役目もある。また、排紙トレイ３０に積載された写真印刷物３５を包装紙３４と共に取り出して、包装紙３４でそのまま写真印刷物３５を包むことができる。従って、ユーザが包装紙に包むべき中身を間違うおそれもなくなる。
【００３０】
＜第３の実施例＞
図８は、第３の実施例における包装紙３４の一例を示す図である。第１の実施例の図４で示した包装紙３４では、表面に折り線３６、３７を、裏面にサムネイル画像３８を印刷していた。本実施例においては、図８（ａ）（ｂ）に示すように、加えて折り方の説明書き３９を合わせて印刷している。このように、折り方の説明を印刷することで、ユーザの利便性がより向上する。なお、図８では、折り方の説明３９として折る手順を示す番号と、折る方向を示す矢印を表記しているが、文章や図解を印刷するようにしても良い。
【００３１】
＜第４の実施例＞
一般的に、普通紙などの用紙に浸透性のインクで印刷を行うと、印刷部分は非印刷部分と比べてインクが浸透している分、用紙の剛性、いわゆるコシが少なくなるという性質がある。従って、用紙を曲げた場合に、応力が集中して屈曲しやすくなる。本実施例では、この性質を利用して、より包装に適した包装紙３４の印刷を行う。
【００３２】
図９は、第４の実施例における包装紙３４の一例を示す図である。図９（ａ）（ｂ）に示すように、山折り線３６および谷折り線３７の印刷濃度に比べて、サムネイル画像３８および折り方説明３９の印刷濃度が小さい。このように、山折り線３６、谷折り線３７の印刷濃度をより高くすることによって、包装紙３４で写真印刷物３５を包む際に、折り線３６、３７の部分で折れ曲がりやすくなり、その結果、ユーザによる包装の際の利便性が向上する。
【００３３】
図１０は、本実施例における包装紙３４の他の例として、折り線部を破線や一点鎖線ではなく、実線で印刷するようにした場合を示す図である。図（ａ）（ｂ）に示すように実線にすることにより、折り線３６、３７部分での剛性をより減らすことができる。例えば、山折り線３６を青色で、谷折り線３７を赤色で印刷するなどのように、山折り線３６と谷折り線３７を区別するために線の太さや色を変えるようにしても良い。この場合、特にインクの打ち込み量を多くするため、シアン、マゼンタ、イエローなどの一次色よりも、２色の印刷を重ね打ちする赤、青、緑などの二次色を使用することで、より折り曲げ易くなる。同様に、黒を印刷するのに黒インクを使用せずにシアン、マゼンタ、イエローの３色の重ね印刷とするようにしても良い。
【００３４】
既に説明した第１または第２の実施例における包装紙３４の印刷結果を、第３または第４の実施例において説明したような印刷結果としても良い。
【００３５】
＜第５の実施例＞
図１１は、第５の実施例において、印刷装置１の読取機構７の原稿台４０に置かれた複数の写真原稿４１〜４６を示す図である。複数の写真原稿４１〜４６は、それぞれサイズや置かれる位置や方向も異なっている。図１１において、写真原稿４１〜４６は、それぞれ原稿幅Ｘ１〜Ｘ６、原稿高さＹ１〜Ｙ６のサイズとして示されている。
【００３６】
図１２は、本実施例における印刷処理の手順を示すフローチャートである。図１２に示す処理は、例えば、ＣＰＵ２により実行される。まず、Ｓ３０１において、読取制御部６を介して読取機構７を駆動し、原稿台４０全体の画像を読み取る。つまり、複数の写真原稿４１〜４６を同時に読み取る。次に、Ｓ３０２において、読み取った画像を解析して、原稿台に置かれた複数の写真原稿４１〜４６を検出し、それぞれのサイズを取得する。さらに、Ｓ３０３において、その解析結果より複数の写真原稿４１〜４６の原稿幅Ｘ１〜Ｘ６のうち最大値を取得してＸｍａｘとする。また、Ｓ３０４において、複数の写真原稿４１〜４６の原稿高さＹ１〜Ｙ６のうち最大値を取得してＹｍａｘとする。Ｓ３０５において、写真原稿４１〜４６の枚数をＮとして取得する。原稿画像の解析が終了すると、Ｓ３０６において、Ｓ３０３〜Ｓ３０４で取得したＸｍａｘ、Ｙｍａｘ、Ｎを用いて第１の実施例における説明と同様に、包装紙の展開図を印刷する。包装紙３４の裏面に印刷されるサムネイル画像３８については、Ｓ３０１で読み取った画像から写真原稿４１〜４６部分を検出したものを切り出して配置して印刷される。
【００３７】
以上のように、本実施例においては、原稿台４０に置かれた複数の写真原稿４１〜４６を一纏めにして包むことができる包装紙３４を得ることができる。また、包装した状態で表面にサムネイル画像３８が印刷されているので、ユーザは、一見して中身を識別することができる。なお、以上において、写真原稿４１〜４６全てを一度に原稿台４０に置いて読み取る場合を説明したが、複数回、読み取って処理するようにしても良い。また、包装紙３４の印刷結果を、第３または第４の実施例において説明したような印刷結果としても良い。また、第２の実施例において説明したように、包装紙３４を印刷して複数の写真原稿４１〜４６を印刷するようにしても良い。その場合には、第２の実施例において説明したように、包装紙３４の印刷用紙の種類と、写真原稿４１〜４６の印刷用紙の種類とが異なっていても良い。
【００３８】
以上、第１〜第５の実施例において、包装紙３４として表面に展開図、裏面に写真画像であるサムネイル画像３８を印刷する場合を説明した。また、サムネイル画像３８を印刷する代わりに、もしくは、サムネイル画像３８の印刷にさらに加えて、写真画像に関する付随情報、例えば撮影日時を印刷するようにしても良い。また、印刷装置単体で全ての処理を行う場合を説明したが、インタフェース２０を介して接続された外部装置２１を含むシステムとして本実施例を実現するようにしても良い。
【００３９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012040850.tif 000003
【図２】
2012040850.tif 000004
【図３】
2012040850.tif 000005
【図４】
2012040850.tif 000006
【図５】
2012040850.tif 000007
【図６】
2012040850.tif 000008
【図７】
2012040850.tif 000009
【図８】
2012040850.tif 000010
【図９】
2012040850.tif 000011
【図１０】
2012040850.tif 000012
【図１１】
2012040850.tif 000013
【図１２】
2012040850.tif 000014